(57)【要約】【課題】腹側部分を大きく開放でき、開放部分を容易に閉じることができ、かつ開放部分を閉じた際のセンターずれを防止できるテープタイプ使い捨ておむつを提供する。【解決手段】上記課題は、腹側部分Ｆにおける前端側部分Ｆ１が、互いに連結及びその取り外しが自在とされた左側部分２０及び右側部分３０に分割されており、ファスニングテープ５を腹側部分Ｆに連結した状態で、左側部分２０及び右側部分３０の連結を外して腹側部分Ｆの前端側部分Ｆ１を開放すること、及び左側部分２０及び右側部分３０を連結して腹側部分Ｆの前端側部分Ｆ１を閉じることが可能とされた、ことを特徴とするテープタイプ使い捨ておむつにより解決される。【選択図】図８
2015024006.tif 000002
【特許請求の範囲】
【請求項１】
股間部、股間部の前側に延びる腹側部分、股間部の後側に延びる背側部分を有し、
背側部分の左右両側に、腹側部分に対して連結及びその取り外しが自在とされたファスニングテープを備えた、テープタイプ使い捨ておむつにおいて、
腹側部分における前端側部分が、互いに連結及びその取り外しが自在とされた左側部分及び右側部分に分割されており、
前記ファスニングテープを前記腹側部分に連結した状態で、前記左側部分及び右側部分の連結を外して前記腹側部分の前端側部分を開放すること、及び前記左側部分及び右側部分を連結して前記腹側部分の前端側部分を閉じることが可能とされた、
ことを特徴とするテープタイプ使い捨ておむつ。
【請求項２】
前記腹側部分を平坦に展開した状態で前記左側部分の右端部及び前記右側部分の左端部が重なり合うように構成され、この重なり合う部分における左側部分及び右側部分の少なくとも一方に、他方を連結するための連結手段が設けられている、請求項１記載のテープタイプ使い捨ておむつ。
【請求項３】
前記腹側部分の外面に、前記ファスニングテープが連結されるターゲットテープが設けられており、前記腹側部分は前記ターゲットテープより股間側まで前記左側部分及び右側部分に分割されている、請求項１又は２記載のテープタイプ使い捨ておむつ。
【請求項４】
前記左側部分及び右側部分の少なくとも一方に、前記左側部分及び右側部分の分割部分における股間側位置から斜め側方に延びる線状易折り曲げ部が形成されている、請求項１〜３のいずれか１項に記載のテープタイプ使い捨ておむつ。
【請求項５】
前記左側部分を左側に開いた状態で仮止めする仮止め手段、及び右側部分を左側に開いた状態で仮止めする仮止め手段の少なくとも一方が設けられている、請求項１〜４のいずれか１項に記載のテープタイプ使い捨ておむつ。
【請求項６】
左側部品と、右側部品とが幅方向中間部で連結されており、この連結部分のうち前記腹側部分における前端側部分に位置する部分が、連結及びその取り外しが自在とされている、請求項１〜５のいずれか１項に記載のテープタイプ使い捨ておむつ。
【発明の詳細な説明】
【技術分野】
【０００１】
本発明は、テープタイプ使い捨ておむつに関する。
【背景技術】
【０００２】
使い捨ておむつにおいては、少量排泄時におむつ全体を交換せずに済むように、表面に尿吸収を目的とした吸収パッド（パッドタイプの使い捨ておむつである）を敷いて使用する使用形態が知られている。
【０００３】
このような使用形態は、成人向けの使い捨ておむつに多いものであり、特にテープタイプ使い捨ておむつにおいてはファスニングテープを取り外すことにより腹側を開放することができるため、次のような使用形態がとられることがある。すなわち、体型が大柄な男性等は介護者１人でのベッド移乗が難しいためオムツ交換は大きな手間となってしまう。そのため、介護の実態として朝のテープタイプ使い捨ておむつの装着時に、その内側に補助吸収用の吸収パッドを装着し、日中の排尿時には車椅子座位の状態で、テープタイプ使い捨ておむつのファスニングテープを外して腹側を開放させ、内側にある補助パッドを引き抜くことにより、初回のおむつ交換とするのである。
【０００４】
しかし、このような座位状態での交換時の問題点として、衣類があるため腹側のオムツが開き難いという基本的な問題の他に、ファスニングテープを外して吸収パッドを引き抜いた後に再びファスニングテープを腹側部分に連結する際、おむつの装着状態が崩れ易く、装着者が座位状態であることも相まって適切な装着状態を得にくいという問題点があった。例えば、テープタイプ使い捨ておむつのファスニングテープが両側部を連結するものであるため、作業を簡単にしようとして、片側のファスニングテープのみを外して吸収パッドを引き抜いた場合、片側のファスニングテープの付け直しだけで済まそうとすると、装着の左右バランスが崩れ（以下、センターずれともいう）易い。かといって、両方のファスニングテープを外して左右バランスの調整をしようとすると、装着者が座位状態であることもあって、調整作業が困難となる。
【０００５】
なお、特許文献１には、「胴周り開口部１１と左右一対の脚周り開口部１２とを備えたおむつ１の前後身頃５，６のいずれか一方の幅方向中央域に、胴周り縁部１５から股下１６方向へ切り込み２０Ａを設け、その身頃を左右に分割可能につくり、切り込み２０Ａの近傍には分割した左右の身頃の連結手段２１を設ける」ことが開示されているが、パンツタイプ使い捨ておむつにおける胴回り寸法の調節ができないという課題を解決するものであり、テープタイプ使い捨ておむつにおける吸収パッドの引き抜きの際の問題を解決する手段ではない。
【０００６】
また、特許文献２には、開口部を有する男性用軽失禁パッドが開示されているが、この開口部は男性器の先端を出すためのものであり、吸収パッドを引き抜くためのものではない。
【先行技術文献】
【特許文献】
【０００７】
【特許文献１】実開平０６−０３１７２５号公報
【特許文献２】特開２０１０−２２０８３５号公報
【発明の概要】
【発明が解決しようとする課題】
【０００８】
そこで本発明の主たる課題は、腹側部分を大きく開放できるとともに、開放部分を容易に閉じることができ、かつ開放部分を閉じた際のセンターずれを防止できるテープタイプ使い捨ておむつを提供することにある。
【課題を解決するための手段】
【０００９】
上記課題を解決した本発明は次のとおりである。
【００１０】
＜請求項１記載の発明＞
股間部、股間部の前側に延びる腹側部分、股間部の後側に延びる背側部分を有し、
背側部分の左右両側に、腹側部分に対して連結及びその取り外しが自在とされたファスニングテープを備えた、テープタイプ使い捨ておむつにおいて、
腹側部分における前端側部分が、互いに連結及びその取り外しが自在とされた左側部分及び右側部分に分割されており、
前記ファスニングテープを前記腹側部分に連結した状態で、前記左側部分及び右側部分の連結を外して前記腹側部分の前端側部分を開放すること、及び前記左側部分及び右側部分を連結して前記腹側部分の前端側部分を閉じることが可能とされた、
ことを特徴とするテープタイプ使い捨ておむつ。
【００１１】
（作用効果）
本発明のテープタイプ使い捨ておむつでは、ファスニングテープを腹側部分に連結した状態で、左側部分及び右側部分の連結を外して腹側部分の前端側部分を幅方向中間部で開放することができるため、ファスニングテープを外す場合と比較して、おむつを開き易く、内側に装着した吸収パッドを引き抜き易い。さらに、吸収パッドを引き抜いた後に開放部分を閉じる際、左側部分及び右側部分を引き寄せて連結することになるので、適切な左右バランスで閉じることができ、センターずれが発生し難いだけでなく、その作業も極めて容易となる。
【００１２】
＜請求項２記載の発明＞
前記腹側部分を平坦に展開した状態で前記左側部分の右端部及び前記右側部分の左端部が重なり合うように構成され、この重なり合う部分における左側部分及び右側部分の少なくとも一方に、他方を連結するための連結手段が設けられている、請求項１記載のテープタイプ使い捨ておむつ。
【００１３】
（作用効果）
このように基本状態で左側部分及び右側部分に重なり合う部分を設けておくことで、左側部分及び右側部分を掴みやすくなり、特に開放後に閉じる作業が容易となる。
【００１４】
＜請求項３記載の発明＞
前記腹側部分の外面に、前記ファスニングテープが連結されるターゲットテープが設けられており、前記腹側部分は前記ターゲットテープより股間側まで前記左側部分及び右側部分に分割されている、請求項１又は２記載のテープタイプ使い捨ておむつ。
【００１５】
（作用効果）
テープタイプ使い捨ておむつでは、ターゲットテープを備えたものが一般的であるが、ターゲットテープを有する部位はコシが強いため、左側部分及び右側部分をそれぞれ左右に開いたとき、元に戻ろうとする力が強く、開放状態を維持し難い。これに対して、上述のように、分割位置をターゲットテープより股間側とすることで、より開き易く、開放状態を維持し易いものとなる。
【００１６】
＜請求項４記載の発明＞
前記左側部分及び右側部分の少なくとも一方に、前記左側部分及び右側部分の分割部分における股間側位置から斜め側方に延びる線状易折り曲げ部が形成されている、請求項１〜３のいずれか１項に記載のテープタイプ使い捨ておむつ。
【００１７】
（作用効果）
このような線状易折り曲げ部を設けることにより、左側部分及び右側部分を開閉する際、決まった位置（線状易折り曲げ部）での折り曲げにより開閉を行うことができるため、左側部分及び右側部分を閉じたときのセンターズレが発生し難くなる。また、左側部分及び右側部分を開いたときに、元に戻り難いため、吸収パッドの引き抜き作業が容易となる。
【００１８】
＜請求項５記載の発明＞
前記左側部分を左側に開いた状態で仮止めする仮止め手段、及び右側部分を左側に開いた状態で仮止めする仮止め手段の少なくとも一方が設けられている、請求項１〜４のいずれか１項に記載のテープタイプ使い捨ておむつ。
【００１９】
（作用効果）
このような仮止め手段を設けることにより、左側部分及び右側部分を開いたときに、元に戻らないよう止めておくことができるため、その後の吸収パッドの引き抜き作業が容易となる。
【００２０】
＜請求項６記載の発明＞
左側部品と、右側部品とが幅方向中間部で連結されており、この連結部分のうち前記腹側部分における前端側部分に位置する部分が、連結及びその取り外しが自在とされている、請求項１〜５のいずれか１項に記載のテープタイプ使い捨ておむつ。
【００２１】
（作用効果）
このように全体を左側部品及び右側部品の連結構造とし、その一部を連結及び取り外し自在の構造とすることにより既存技術による連続的な製造が可能となる。また、特に上述のような重なり合う部分を有する構造も製造可能となる。
【発明の効果】
【００２２】
以上のとおり、本発明によれば、腹側部分を大きく開放できるとともに、開放部分を容易に閉じることができ、かつ開放部分を閉じた際のセンターずれを防止できるテープタイプ使い捨ておむつとなる、等の利点がもたらされる。
【図面の簡単な説明】
【００２３】
【図１】テープタイプ使い捨ておむつの展開状態の内面側を示す平面図である。
【図２】テープタイプ使い捨ておむつの展開状態の外面側を示す平面図である。
【図３】図１のiii-iii断面図である。
【図４】図１のiv-iv断面図である。
【図５】図１のii-ii断面図である。
【図６】テープタイプ使い捨ておむつの分解組立図である。
【図７】腹側部分の外面を示す要部拡大概略図である。
【図８】腹側部分の外面を示す要部拡大概略図である。
【図９】腹側部分の外面を示す要部拡大概略図である。
【図１０】腹側部分の外面を示す要部拡大概略図である。
【図１１】腹側部分の外面を示す要部拡大概略図である。
【図１２】テープタイプ使い捨ておむつの展開状態の内面側を示す平面図である。
【図１３】図１２のV-V断面図である。
【図１４】腹側部分の外面を示す要部拡大概略図である。
【図１５】腹側部分の外面を示す要部拡大概略図である。
【図１６】腹側部分の外面を示す要部拡大概略図である。
【図１７】腹側部分の外面を示す要部拡大概略図である。
【図１８】腹側部分の外面を示す要部拡大概略図である。
【図１９】ターゲットテープの製造概略図である。
【発明を実施するための形態】
【００２４】
以下、本発明の一実施形態について、添付図面を参照しつつ詳説する。なお、ホットメルト接着剤による接着箇所のうち説明上必要と認めた箇所については点模様をそれぞれ付している。
【００２５】
図１〜図６は、テープタイプ使い捨ておむつの一例を示しており、この使い捨ておむつは、液不透過性バックシート１の内面と、透液性トップシート２との間に、吸収体３が介在されている。
【００２６】
（吸収体）
吸収体３としては、パルプ繊維の積繊体、セルロースアセテート等のフィラメントの集合体、あるいは不織布を基本とし、必要に応じて高吸収性ポリマーを混合、固着等してなるものを用いることができる。図示形態の吸収体３は一層構造とされているが、下層吸収体とその上に積層された上層吸収体とからなる二層構造であっても良い。また、必要に応じて、吸収体３はクレープ紙（図示せず）により包むことができる。また、吸収体３の形状は適宜定めることができるが、図示のような砂時計形状の他、長方形等のように、股間部の前側から後側まで延在する形状が好適である。吸収体３におけるパルプ目付けは１００〜５００ｇ／ｍ2程度、厚みは１〜１５ｍｍ程度であるのが望ましい。また、高吸水性樹脂の目付けは０〜３００ｇ／ｍ2程度であるのが望ましい。高吸水性樹脂含有率が少な過ぎると、十分な吸収能を与えることができず、多過ぎるとパルプ繊維間の絡み合いが無くなり、ヨレや割れ等が発生し易くなる。
【００２７】
（液不透過性バックシート）
液不透過性バックシート１は、吸収体３の周囲より外側に延在しており、吸収体３に吸収された排泄物の裏面側への移動を遮断するものである。バックシート１としては、ポリエチレンフィルム等のプラスチックフィルムの他、ムレ防止の点から遮水性を損なわずに透湿性を備えたシートも用いることができる。この遮水・透湿性シートは、例えばポリエチレンやポリプロピレン等のオレフィン系樹脂中に無機充填材を溶融混練してシートを形成した後、一軸または二軸方向に延伸することにより得られる微多孔性シートを用いることができる。バックシート１の単位面積あたりの重量は１３〜４０ｇ／ｍ2であるのが好ましく、厚みは０．０１〜０．１ｍｍであるのが好ましい。
【００２８】
おむつ外面を布のような外観、肌触りとするために、バックシート１の裏面全体は外装シート１２で覆われており、両シート１，１２の外周縁はおむつの外周縁まで及んでいる。外装シート１２としては各種の不織布を用いることができるが、スパンボンド不織布が好適である。外装シート１２は省略することもできる。
【００２９】
（トップシート）
トップシート２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。また、不織布の加工方法としては、スパンレース法、スパンボンド法、ＳＭＳ法、サーマルボンド法、メルトブローン法、ニードルパンチ法、エアスルー法、ポイントボンド法等の公知の方法を用いることができる。透液性トップシート２に用いる不織布の繊維目付けは１５〜３０ｇ／ｍ2であるのが好ましく、厚みは０．０５〜１ｍｍであるのが好ましい。
【００３０】
トップシート２は、吸収体３の周囲より外側に延在しており、吸収体３側縁より外側に延在する部分がバックシート１にホットメルト接着剤等により固着されている。なお、図中の点模様は固着部分を表しているものである。
【００３１】
（脚周り立体ギャザー）
図４及び図５にも示されるように、物品内面の両側部（図示形態ではトップシート２の側縁部表面からその側方に延在するバックシート１の表面）には、脚周り立体ギャザー４を構成する脚周り立体ギャザーシート４ｓの幅方向外側の付根部分４ｘが前後方向全体にわたり貼り付けられている。脚周り立体ギャザーシート４ｓは、各種不織布（スパンボンド不織布が好適である）の他、バックシートに用いられるものと同様のプラスチックフィルム、又はこれらの積層シートを用いることができるが、肌への感触性の点で、撥水処理を施した不織布が好適である。脚周り立体ギャザーシート４ｓの幅方向中央側の突出部分４ｃは、前後方向両端部では倒伏状態で物品内面（図示形態ではトップシート２表面）にホットメルト接着剤等の手段により固着され、倒伏部分とされているが、これらの間の中間部は非固定の自由部分となっており、この自由部分の先端部等（展開状態における幅方向中央側の端部）には、細長状弾性伸縮部材４Ｇが前後方向に沿って伸張した状態でホットメルト接着剤等により固定されている。この細長状弾性伸縮部材４Ｇは図示例では所定の間隔を空けて複数本設けられているが、一本でも良い。細長状弾性伸縮部材４Ｇ（他の細長状弾性伸縮部材も同様）としては、糸状、紐状、帯状等に形成された天然ゴム又は合成ゴム、具体的にはスチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。この自由部分は、細長状弾性伸縮部材４Ｇの収縮力が作用する結果、図４に示されるように、物品内面（図示形態ではトップシート２表面）に対して起立する脚周り立体ギャザーを構成する。この起立部分の基端４ｂは脚周り立体ギャザー４における幅方向外側の固定部分４ｘと内側の部分４ｃとの境に位置する。なお、図１中の点模様部分は脚周り立体ギャザー４の固着部分を示している。
【００３２】
使い捨ておむつ１００の前後方向両端部では、バックシート１、外装シート１２、透液性トップシート２および脚周り立体ギャザーシート４ｓが吸収体３の前後端よりも前後両側にそれぞれ延在され、吸収体３の存在しないエンドフラップ部ＥＦが形成されている。一方、使い捨ておむつ１００の左右両側部では、バックシート１、外装シート１２、透液性トップシート２および脚周り立体ギャザーシート４ｓが吸収体３の側縁よりも側方にそれぞれ延在され、吸収体３の存在しないサイドフラップ部ＳＦが形成されている。サイドフラップ部ＳＦのうち腹側部分Ｆのウエスト側部分及び背側部分Ｂのウエスト側部分にそれぞれ位置する部分は、それらの間の中間部分よりも側方に延出されており、これらの部分が、おむつの胴回り部分となり、中間部分が脚周り包囲部分となり、その両側縁が脚開口の縁Ｌｅとなる。
【００３３】
（平面ギャザー）
サイドフラップ部ＳＦの前後方向中間部には、バックシート１と外装シート１２との間に細長状弾性部材７が前後方向に沿って伸張状態でホットメルト接着剤等により固定されており、この細長状弾性部材７の収縮によりサイドフラップ部ＳＦにはいわゆる平面ギャザーが形成されている。この平面ギャザーにより、おむつの側部が弾性伸縮して脚周りにフィットするようになる。
【００３４】
左右各側における細長状弾性部材７の本数は適宜定めることができるが、１〜１０本程度、より好ましくは３〜８本程度が適当であり、複数本とする場合には、その間隔は２〜１５ｍｍ程度、特に６〜１０ｍｍ程度とするのが好ましい。また、各細長状弾性部材７としては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができ、太さとしては５００〜１５００ｄｔｅｘ程度、天然ゴムの場合０．１〜３ｍｍ程度、特に０．５〜３ｍｍ程度が好ましい。また、各細長状弾性部材７の固定時の伸長率は１５０〜２５０％程度であるのが好ましい。
【００３５】
（ファスニングテープ）
背側部分Ｂのサイドフラップ部ＳＦには、その側縁からそれぞれ突出するファスニングテープ５が取り付けられるとともに、腹側部分Ｆの胴回り部表面に幅方向に沿ってターゲットテープ６が貼着されており、身体への装着に際しては、おむつ１００を身体にあてがった状態で、両側のファスニングテープ５を腰の各側から腹側外面に回してターゲットテープ６に止着する。ターゲットテープ６は省略することもでき、その場合にはファスニングテープ５はおむつ外面（図示形態の場合外装シート１２）に直に止着される。
【００３６】
図３に示されるように、ファスニングテープ５は、背側部分Ｂのウエスト側サイドフラップ部ＳＦにおけるシート間にホットメルト接着剤等の手段により固定された固定部５ｆと、サイドフラップ部ＳＦの側縁のシート間から幅方向外側に突出する突出部５ｅとを有しており、この突出部５ｅは先端部５ｐと、この先端部５ｐよりも基端側の本体部５ｂとを有している。ファスニングテープ５の先端部５ｐの内面側（透液性表面シート２側）には、ターゲットテープ６との連結のための連結部として、表面にフック状突起を多数有するフック材（メカニカルファスナー（面ファスナー）の雄材）９，９がそれぞれ取り付けられており、ターゲットテープ６としてフック状突起が着脱可能に掛止される表面を有するもの（メカニカルファスナー（面ファスナー）の雌材）６が取り付けられている。おむつ外面の素材自体をターゲットテープ６の代わりに用いたり、フック材９に代えて粘着剤層を用いるとともに、ターゲットテープ６として粘着性に富むような表面が平滑な樹脂テープを用いたりすることができる。
【００３７】
また、図１に示されるように、ファスニングテープ５には、上下方向中間部における幅方向外側縁から本体部５ｂ内まで幅方向に沿うミシン目１０が設けられており、このミシン目１０を切り離すことにより各々が固定部、本体部、先端部及び連結部を備えた上段部及び下段部に分離することができるものである。ミシン目１０に代えて、予め切断等により分離されていても良い。このようなファスニングテープ５は、上段部と下段部とを交差させた状態で、腹側部分のターゲットテープ６に着脱自在に連結することができる。もちろん、このような上下２段分割タイプに限られず、２段分割しないタイプ等、他の公知のファスニングテープに応用することもできる。
【００３８】
（腹側開放部分）
特徴的には、腹側部分Ｆにおける前端側部分Ｆ１が、互いに連結及びその取り外しが自在とされた左側部分２０及び右側部分３０に分割されており、ファスニングテープ５を腹側部分Ｆに連結した状態で、図８に示すように左側部分２０及び右側部分３０の連結を外して腹側部分Ｆの前端側部分Ｆ１を開放すること、及び図１、図２、図７に示すように左側部分２０及び右側部分３０を連結して腹側部分Ｆの前端側部分Ｆ１を閉じることが可能とされている。このように、ファスニングテープ５を腹側部分Ｆに連結した状態で、左側部分２０及び右側部分３０の連結を外して腹側部分Ｆの前端側部分Ｆ１を幅方向中間部で開放することができると、ファスニングテープ５を外す場合と比較して、おむつを開き易く、内側に装着した吸収パッドを引き抜き易い。さらに、吸収パッドを引き抜いた後に開放部分を閉じる際、左側部分２０及び右側部分３０を引き寄せて連結することになるので、適切な左右バランスで閉じることができ、センターずれが発生し難いだけでなく、その作業も極めて容易となる。
【００３９】
腹側部分Ｆにおいて、前端から股間側のどの位置まで分割するかはパッドの引き抜き易さ及び漏れ難さを考慮して適宜定めることができるが、ターゲットテープ６を有する位置までしか分割されていないと、ターゲットテープ６を有する部位のコシが強いため、左側部分２０及び右側部分３０をそれぞれ左右に開いたとき、元に戻ろうとする力が強く、開放状態を維持し難い。これに対して、図示形態のように、腹側部分Ｆがターゲットテープ６の股間側まで左側部分２０及び右側部分３０に分割されていると、より開き易く、開放状態を維持し易いものとなる。
【００４０】
左側部分２０及び右側部分３０は互いに重ならない又は殆ど重ならない構造とし、線ファスナーにより連結及び取り外しを自在としても良いが、図示形態では、腹側部分Ｆを平坦に展開した状態で左側部分２０の右端部及び右側部分３０の左端部が重なり合うように構成され、この重なり合う部分における左側部分２０及び右側部分３０の少なくとも一方に、他方を連結するための連結手段４０が設けられている。このように基本状態で左側部分２０及び右側部分３０に重なり合う部分を設けておくことで、左側部分２０及び右側部分３０を掴みやすくなり、特に開放後に閉じる作業が容易となる。
【００４１】
重なり合う部分の形状は適宜定めることができるが、図示形態では、右側部分３０の左側の縁を前後方向に沿う直線状とし、左側部分２０の右側の縁を斜め右上に延びる形状として、左側部分２０の重なり合い部分を前端側に向かうにつれて幅が拡大する三角形状の掴み部分２２として形成している。また、この掴み部分の内側の面には、連結手段４０としての面ファスナー（メカニカルファスナー）の雄材（フック材９）が固定されている。この面ファスナーにより左側部分２０の内側の面を右側部分３０の外側の面に連結することができる（図示形態では、この部分までターゲットテープ６が延在しているが、ターゲットテープ６が無くても外面が不織布であれば連結できる）。連結手段４０としては、粘着テープ等を用いることもできる。
【００４２】
左側部分２０及び右側部分３０を開閉する際、開閉のための折り曲げ位置が定まらないと、どの程度開閉して良いかの目安が無いだけでなく、左側部分２０及び右側部分３０を閉じる際に狙った位置に移動させ難いおそれがある。よって、図示形態のように、左側部分２０及び右側部分３０の分割部分における股間側位置から斜め側方に延びる線状易折り曲げ部５０を形成するのも好ましい形態である。このような線状易折り曲げ部５０を設けることにより、左側部分２０及び右側部分３０を開閉する際、決まった位置（線状易折り曲げ部５０）での折り曲げにより開閉を行うことができるため、左側部分２０及び右側部分３０を閉じたときのセンターズレが発生し難くなる。また、左側部分２０及び右側部分３０を開いたときに、元に戻り難いため、吸収パッドの引き抜き作業が容易となる。
【００４３】
線状易折り曲げ部５０は、その延在方向を折り目として折れ易くするためのものであり、図示形態のように吸収体３を有する部分であれば吸収体３のスリット（線状の無吸収体３部分）により線状易折り曲げ部５０を形成することができる他、吸収体３の有無に関係無く線状のエンボス加工により線状易折り曲げ部５０を形成することもできる。線状易折り曲げ部５０は、始端から終端まで連続的に形成する他、ある程度の間隔で断続的（点線状）に形成することもできる。また、線状易折り曲げ部５０は図１０に示すように交差しないように複数本設けることができる。
【００４４】
前述のように、左側部分２０及び右側部分３０を開いた状態で内側の吸収パッドを引き抜く場合、左右に広げた左側部分２０及び右側部分３０を両方抑えたまま吸収パッドを引き抜くことは現実的には困難であるため、少なくとも一方を開いた状態で仮止めする仮止め手段を備えていることが望ましい。仮止め手段は、面ファスナー等の専用の連結手段４０を左側部分２０及び右側部分３０の少なくとも一方の内面又は外面の適所に設けても良いが、図１０及び図１１に示す形態では、左側部分２０及び右側部分３０の連結手段４０を有する左側部分２０を線状易折り曲げ部５０で二回折り曲げることで、前端側に位置する連結手段４０が左側部分２０の外面に連結され（図示形態では、この部分までターゲットテープ６が延在しているが、ターゲットテープ６が無くても外面が不織布であれば連結できる）、左側部分２０が開放状態に維持されるようになっている。使用者は右側部分３０を片手で広げつつ、反対の手で開放部分から内側の吸収パッドを引き抜くことができる。このように、連結手段４０が仮止め手段を兼ねることも本発明に含まれる。
【００４５】
腹側部分Ｆにおける前端側部分Ｆ１を左右に分割する構造は特に限定されないが、図示形態（特に図６の分解組立図参照）のように、左側部品２１及び右側部品３１を幅方向中間部で連結する構造とし、このうち腹側部分Ｆにおける前端側部分Ｆ１に位置する部分を、連結及びその取り外しが自在の連結構造とし、それ以外Ｆ２に位置する部分はホットメルト接着剤６０等により取り外さない連結構造とすると、既存技術により連続的に製造することができるため好ましい。この構造を採用する場合、図４及び図５に示すように、左側部分２０及び右側部分３０のそれぞれに内蔵される吸収体３を幅方向内側の縁部まで延在させずに無吸収体３の縁部を形成し、左側部分２０の吸収体３と右側部分３０の吸収体３とを近接させて、左側部分２０の無吸収体３の縁部を右側部分３０の吸収体３を有する部位に、及び右側部分３０の無吸収体３の縁部を左側部分２０の吸収体３を有する部位にそれぞれ連結すると、吸収体３が実質的に連続するものとなるため好ましい。
【００４６】
また、このような連結構造を採用する場合、取り外さない連結部分の上縁２５を図１０及び図１１に示すように、左側部分２０及び右側部分３０のうち外側に位置する方（図示例では左側部分）の折り曲げ方向に沿う斜め上向きとすると、開閉位置が定まり易くなるため好ましい。
【００４７】
他の分割構造としては、図１２〜図１８に示すように、左右一体的に形成されたテープタイプ使い捨ておむつにおいて、腹側部分Ｆの幅方向中央部に、前端側部分Ｆ１を左右に分離するためのミシン目９０を前後方向に沿って形成するとともに、このミシン目９０の左右両側にわたる連結シート７０を配し、この連結シート７０におけるミシン目９０よりも一方側（図示例では左側）の部分をホットメルト接着剤６０等により腹側部分Ｆ外面に対して取り外さないように連結し、ミシン目９０よりも他方側に位置する部分に腹側部分Ｆ外面に対して連結及びその取り外しが自在の連結手段４０を設けた構造も提案される。なお、図示例では吸収体３にスリットを形成することにより線状易折り曲げ部５０を構成している。
【００４８】
この構造では、必要時にミシン目９０を切り離すことにより、左側部分２０及び右側部分３０に分割され、前述の形態と同様に左側部分２０及び右側部分３０をそれぞれ捲ることにより腹側部分Ｆを開放し、吸収パッドの引き抜き等を行うことができる。図示例ではミシン目９０を形成しているが、ミシン目９０に代えてスリットを入れ、予め左側部分２０及び右側部分３０に切り離しておいても良い。この場合でも、連結シート７０により左側部分２０及び右側部分３０は連結可能であるため、問題はない。この構造は、既存のテープタイプ使い捨ておむつの少ない設計変更（具体的にはミシン目９０又はスリットの追加と、吸収体３形状の変更、連結シート７０の貼り付け）で製造することができるという利点がある。
【００４９】
図示形態のように、連結手段４０を横切る位置に線状易折り曲げ部５０を設ける場合、連結手段４０を線状易折り曲げ部５０を挟んで両側に設けることが望ましく、特に線状易折り曲げ部５０の一方側及び他方側に個別に設けることが望ましい。これにより、左側部分２０を閉じる際、線状易折り曲げ部５０により区画された部分を根元側から順にパタパタと倒し、各区画部分の連結手段４０を右側部分３０に連結していくだけで、簡単に左側部分２０及び右側部分３０をズレなく連結することができる。ただし、この場合、最初の区画の位置決めは作業者が目見当で行う必要がある。よって、最初の区画の位置決めをするための目印を右側部分３０に設けておくことが望ましい。このような目印は印刷等により行うこともできるが、図示形態のように右側部分３０の外面にターゲットテープ６を備える場合は、そのターゲットテープ６に段差や切り込み等を設けることにより目印とすることもできる。
【００５０】
図１２〜図１８に示すものと同様の構造を採用しつつ、ターゲットテープ６に目印形状を付加した例を図１６〜図１８に示す。この例では、左側部分２０におけるターゲットテープ６の縦方向中間の位置に、線状易折り曲げ部５０が幅方向に沿って形成されており、右側部分３０のターゲットテープ６における左側縁が、線状易折り曲げ部５０の延長方向に沿う目印部分８０を有するように屈曲されているものである。これにより、左側部分２０を閉じる際、線状易折り曲げ部５０で折り曲げた状態で、その折り曲げ縁を、図１８に示すように右側部分３０のターゲットテープ６における屈曲目印部分８０に合わせるようにして右側部分３０に連結した後、折り曲げていた線状易折り曲げ部５０よりも前端側の部分をウエスト側に倒して右側部分３０に連結することにより、簡単に左側部分２０及び右側部分３０をズレなく連結することができる。図１６〜図１８に示す形態と異なり、線状易折り曲げ部分が斜め方向に沿う形態でも同様にして目印部分８０を設けることができる。
【００５１】
なお、ターゲットテープ６の形状により目印を設ける場合は、図１６〜図１８に示す形態のように、左側部分２０のターゲットテープ６の右側縁と右側部分３０のターゲットテープ６の左側縁とを左右対称形状にするとともに、各ターゲットテープ６の上縁及び下縁を同一形状とすると、図１９に示すように一本のテープから無駄（トリム）なく各ターゲットテープ６を切り出すことができる。なお、図１９に示す形態は一本のテープを順に切断していくことにより左右のターゲットテープ６を形成する場合を想定しているが、左右各一本のテープから製造することもできる。
【００５２】
＜その他＞
本発明は、左側部分及び右側部分を開いた状態で内側の吸収パッドを引き抜くのに適しているが、内側の吸収パッドは必須ではなく、治療等、他の目的で左側部分及び右側部分の開閉を行うこともできる。
【産業上の利用可能性】
【００５３】
本発明は、上記例のようにテープタイプ使い捨ておむつに利用できるものである。
【符号の説明】
【００５４】
Ｂ…背側部分、Ｆ…腹側部分、１…液不透過性バックシート、２…トップシート、３…吸収体、４…脚周り立体ギャザー、４ｆ…自由部分、４ｅ…倒伏部分、５…ファスニングテープ、６…ターゲットテープ、９…フック材、１０…ミシン目、１２…外装シート、２０…左側部分、２１…左側部品、２５…取り外さない連結部分の上縁、３０…右側部分、３１…右側部品、４０…連結手段、５０…線状易折り曲げ部、６０…ホットメルト接着剤、７０…連結シート、８０…目印部分、９０…ミシン目。
【図１】
2015024006.tif 000003
【図２】
2015024006.tif 000004
【図３】
2015024006.tif 000005
【図４】
2015024006.tif 000006
【図５】
2015024006.tif 000007
【図６】
2015024006.tif 000008
【図７】
2015024006.tif 000009
【図８】
2015024006.tif 000010
【図９】
2015024006.tif 000011
【図１０】
2015024006.tif 000012
【図１１】
2015024006.tif 000013
【図１２】
2015024006.tif 000014
【図１３】
2015024006.tif 000015
【図１４】
2015024006.tif 000016
【図１５】
2015024006.tif 000017
【図１６】
2015024006.tif 000018
【図１７】
2015024006.tif 000019
【図１８】
2015024006.tif 000020
【図１９】
2015024006.tif 000021